(57)【要約】【課題】所定の操作により、目的の音色が得られるようにする。また、効果の高い、鳥の鳴き声に似せた擬音を発する擬音笛を提供する。【解決手段】気流の振動により鳥の鳴き声に似せた擬音を発する擬音笛について、気流を排出するフイゴ部１１と、その排気流により音を発するエアリード１６と気流の排出口を有するパイプ１７とから成る笛部１５とを具備し、笛部１５の先端を上向きにして、フイゴ部１１を操作した時に、上記排気流によって移動することで共鳴管長さを変え、音のピッチを変化させる移動片２０を上記パイプ内に挿入する。【選択図】          図１
0003133530.tif 000002
【実用新案登録請求の範囲】
【請求項１】
気流の振動により鳥の鳴き声に似せた擬音を発する擬音笛であって、
気流を排出するフイゴ部と、その排気流により音を発するエアリードと気流の排出口を有するパイプとから成る笛部とを具備し、笛部の先端を上向きにして、フイゴ部を操作した時に、上記排気流によって移動することで共鳴管長さを変え、音のピッチを変化させる移動片を上記パイプ内に挿入した構成を有する鳥の鳴き声に似せた擬音笛。
【請求項２】
フイゴ部は、伸縮可能であり、かつ、伸張方向への戻り癖を有する気のうと、その両端に取り付けられた蓋板と底板とから成り、蓋板の部分はその中央の直径方向部分が肉厚く形成され、その肉厚部分に、エアリードとパイプとから成る笛部が組み込まれた構造を有している請求項１記載の鳥の鳴き声に似せた擬音笛。
【請求項３】
蓋板の肉厚部の両側は、外方へ向かって低くなる傾斜面になっており、上記傾斜面には、親指の腹により押さえ易くされた凹みが形成されている請求項２記載の鳥の鳴き声に似せた擬音笛。
【請求項４】
笛部のパイプは、円形の断面形状を有し、移動片は、上記パイプ内にて軽快に滑って移動するように、短い円筒状に形成されている請求項１記載の鳥の鳴き声に似せた擬音笛。
【考案の詳細な説明】
【技術分野】
【０００１】
本考案は、気流の振動により鳥の鳴き声に似せた擬音を発するようにした擬音笛に関するものである。
【背景技術】
【０００２】
この種の擬音を発するものはけっして少なくはないが、その多くは玩具の類に属し、精密に作られたものは稀である。擬音の音源としては、物と物とをこすって音を出すもの、或いは、気流の振動を音源とするに笛式のものなどがある。その中には、気流を乱して音を変化させるものも知られているが、偶然の音響効果によるものが多く、一定の変化を目的としたものではない。
【０００３】
実開平５−１９４号は、放り投げると動物の鳴き声のような擬音を常に発生する擬音発生装置を含む玩具を開示している。同号の考案は、擬音発生部材を、重りの移動方向が鉛直方向を向くように、支持手段で回動自在に支持した構成を備えている。このものは、従って擬音発生装置がどのような姿勢になっても、常に擬音を発生することができるが、それ以上のものではない。
【０００４】
【特許文献１】実開平５−１９４号
【考案の開示】
【考案が解決しようとする課題】
【０００５】
本考案は前記の点に着目してなされたものであり、その課題は、所定の操作により、目的の音色が得られるようにとすることである。また、本考案の他の課題は、簡単な機構により効果の高い、鳥の鳴き声に似せた擬音を発する擬音笛を提供することである。
【課題を解決するための手段】
【０００６】
前記の課題を解決するため、本考案は、気流の振動により鳥の鳴き声に似せた擬音を発する擬音笛について、気流を排出するフイゴ部と、その排気流により音を発するエアリードと気流の排出口を有するパイプとから成る笛部とを具備し、笛部の先端を上向きにして、フイゴ部を操作した時に、上記排気流によって移動することで共鳴管長さを変え、音のピッチを変化させる移動片を上記パイプ内に挿入するという手段を講じたものである。
【０００７】
本考案の対象となる擬音笛は、鳴き声に似せた擬音を発するものである。所定の操作により、目的の音色を得るために、本考案では、気柱長さ（共鳴管長さ）の変更によりピッチを変化させる方法を取り、かつ、上記の変更の仕方を制御可能にすることにより再現性が得られるようにする。
【０００８】
そのために、本考案においては、気流を排出するフイゴ部と、その排気流により音を発するエアリードと気流の排出口を有するパイプとから成る笛部とを具備している。フイゴ部は、所定の時間連続的に、笛部へ気流を送り出すもので、伸縮可能であるとともに伸張方向へ戻るような構造になっていれば、押すだけの操作でよい。
【０００９】
フイゴ部の気流は、笛部の歌口に供給され、振動を生じるとともにパイプ内で共鳴し、そのときの気柱長さに応じたピッチの音を発生する。このピッチを変化させるために、笛部の先端を上向きにして、フイゴ部を操作した時に、上記排気流によって移動することで共鳴管長さを変える移動片を上記パイプ内に挿入する。
【００１０】
従って、所定の操作によって、移動片の移動位置をコントロールすることができ、目的の音色が得られることになる。移動片は、気流によりその位置を変えるので、発生する音が変化し、あたかも鳥の鳴き声のような擬音として聞こえることになる。
【００１１】
上記構成において、フイゴ部を、伸縮可能とし、かつ、伸張方向への戻り癖を有する気のうと、その両端に取り付けられた蓋板と底板とから成るものとし、蓋板の部分はその中央の直径方向部分が肉厚く形成し、その肉厚部分に、エアリードとパイプとから成る笛部が組み込んだ構造とすることができる（請求項２記載の考案）。この構造により、気のうの戻り癖のために捺すだけの操作で、擬音を生じさせることができるとともに、外部に何物も突き出さない、スマートな形態が備わる。
【００１２】
また、蓋板の肉厚部の両側は、外方へ向かって低くなる傾斜面とし、上記傾斜面には、親指の腹により押さえ易くする凹みを形成することができる（請求項３記載の考案）。この構成により、擬音笛の持ち方が安定し、笛部を観察しながら音色を制御することが容易になる。笛部のパイプは、円形の断面形状を有し、移動片は、上記パイプ内にて軽快に滑って移動するように、短い円筒状に形成することが望ましい（請求項４記載の考案）。この構成により、移動片は、あたかもシリンダー内を移動するピストンのように滑り、ピッチを変化させることになる。
【考案の効果】
【００１３】
本考案は以上のように構成されかつ作用するものであるから、笛部のパイプ内に挿入されている移動片を移動させるという所定の操作により、目的の音色を得ることができる。また、本考案によれば、最小限度の構成から成る簡単な機構により、効果の高い、鳥の鳴き声に似せた擬音を発する擬音笛を提供することができる。
【考案を実施するための最良の形態】
【００１４】
以下図示の実施形態を参照しつつ本考案をより詳細に説明する。図１は、本考案に係る鳥の鳴き声に似せた擬音笛１０の一例を示すもので、気流を排出するフイゴ部１１と、笛部１５とを具備している。
【００１５】
フイゴ部１１は、伸縮可能であり、かつ、伸張方向への戻り癖を有するように、シート材を折り畳んで、８角形の平面形状の蛇腹状に形成した気のう１２と、その両端に取り付けられた蓋板１３と底板１４とから成り、蓋板１３の中央部分はその直径方向部分１３ａが肉厚く形成されている。上記の肉厚部分１３ａには、エアリード１６とパイプ１７とから成る笛部１５が組み込まれている。笛部１５は、蓋板１３に形成されている凹部１３ｂにて外部に露出し、パイプ１７は透明な素材によって作成されており、後述するパイプ内部の移動体２０の動きが、外部から見えるようになっているので、音色の制御のために好都合である。
【００１６】
エアリード１６は、上記パイプ１７の一端に形成されており、その他端は開口１８のままとされ、蓋板１３の端面に開口している。１９は抜け止めであり、後述する移動片２０がパイプ端部の開口１８から抜け出るのを防止する。従って、気のう出口１２ａから排出された気流は、気孔２１からエアリード１６（そして一部はここから外部へ流出）、パイプ内部を経て、開口１９へと、移動片２０を押しながら流出する。
【００１７】
このような笛部１５の先端の開口１８を上向きにして、フイゴ部１１を操作した時に、排気流によって移動することで共鳴管長さを変え、音のピッチを変化させるために、上記移動片２０が上記パイプ内に挿入されている。図４、図５を参照。例示されている移動片２０は直径よりも短い長さの円筒状に形成されているもので、パイプ１７の内周面との間には僅かな隙間が介在しており、あたかもピストンのように滑らかに摺動することができる。また、蓋板１３の肉厚部１３ａの両側は、外方へ向かって低くなる傾斜面１３ｃになっており、上記傾斜面１３ｃには、親指の腹により押さえ易くされた凹み１３ｄが形成されている。
【００１８】
上記のパイプ１７と移動片２０は、ともに硬質のプラスチック、或いはガラス管と木片などを使用して、滑らかに摺動する構造に形成されている。滑らかに移動片２０が動くために、抵抗を減少させるとともに、移動片２０は、自重で落下し、かつ気孔２１から流出する気流の強さによって、容易に動き得る程度の重さを有するものとする。
【００１９】
なお、図示の例においては、昨日１２の内部に空気を取り入れるために、気孔２１を共用する構成としているが、気孔２１とは別に、逆止弁をフイゴ部１１の適当な箇所に設けることができる。なお、パイプの内径やエアリードの形状変更などにより、音色を変えることも可能である。また、パイプの内径やエアリードの形状などを、交換できるようにしても良い。
【００２０】
このように構成された本考案の擬音笛を使用するには、笛部１５の開口１８が上向きになるように、擬音笛１０を手に持ち、フイゴ部１１の蓋板１３と底板１４を押して、気のう１２を加圧する。その結果、気流は、気のう出口１２ａから排出され、気孔２１からエアリード１６に当たり、一部はここから外部へ流出し、他の一部はパイプ内部に入って、移動片２０を押し、かつその荷重と拮抗しながら開口１９より流出する。
【００２１】
よって、移動片２０を押しているときは図２に実線で示したように気柱が伸びてピッチが下がり、移動片２０自重で下がっているときは図２に鎖線で示したように気柱が縮んでピッチが上がり、これが短い周期で繰り返されるように操作することにより、ピヨピヨとさえずるように鳴く音を発するものである。なお、手に持った本考案の擬音笛１０を立てれば移動片２０は下がり易く、寝かせれば下がりにくくなり、フイゴ部１１を強く押せば移動片２０は急速に勢いよく押し上げられ、弱く押せばゆっくりと押し上げられるので、これらの条件を考慮して所定の操作をするにより、目的の音色を得るものである。
【００２２】
上記のように操作するためには、両手で擬音笛１０を支えるときに、両手の親指の腹が蓋板１３の肉厚部１３ａの両側の凹み１３ｄに接するように持つ。このとき両手の人差し指、中指等は底板１４を支え、擬音笛１０の笛部１５が正面に来るようになるので、透明なパイプ１７を目で見て、移動片２０の動きを追いながら、目的の音色を得ることができる。
【図面の簡単な説明】
【００２３】
【図１】本考案に係る鳥の鳴き声に似せた擬音笛の一例を示す斜視図。
【図２】同上の擬音笛の平面図。
【図３】同じく擬音笛の正面図。
【図４】同じく擬音笛の笛部横断面図。
【図５】同じく擬音笛の笛部縦断面図。
【符号の説明】
【００２４】
１０  本考案に係る擬音笛
１１  フイゴ部
１２  気のう
１２ａ  気のう出口
１３  蓋板
１３ａ  直径方向部分
１３ｂ  凹部
１３ｃ  傾斜面
１３ｄ  凹み
１４  底板
１５  笛部
１６  エアリード
１７  パイプ
１８  開口
１９  抜け止め
２０  移動片
２１  気孔
【図１】
0003133530.tif 000003
【図２】
0003133530.tif 000004
【図３】
0003133530.tif 000005
【図４】
0003133530.tif 000006
【図５】
0003133530.tif 000007